(57)【要約】【課題】ボイラの燃焼量を最適に制御して、ボイラ効率を向上することができるボイラ装置を提供すること。【解決手段】複数に分割された燃焼領域を有するボイラ２と、ボイラ２における蒸気圧力を検出する蒸気圧検出部３と、蒸気圧検出部３により検出された蒸気圧力に応じてボイラの燃焼状態を制御する制御部４と、を備えるボイラ装置１であって、制御部４は、複数の燃焼領域を、それぞれ、燃焼量を段階的に変更する段階値制御領域、又は燃焼量を連続的に変更する連続制御領域に設定する設定部４１と、段階値制御領域に設定された燃焼領域において、該燃焼領域に対応して予め設定された設定燃焼率で前記ボイラを燃焼させる段階値制御部４２と、連続制御領域に設定された燃焼領域において、蒸気圧検出部において検出される蒸気圧力が該燃焼領域に対応して予め設定された設定目標圧力となるようにボイラを燃焼させる連続制御部４３と、を備えるボイラ装置。【選択図】図２
2015161427.tif 000002
【特許請求の範囲】
【請求項１】
複数に分割された燃焼領域を有するボイラと、
前記ボイラにおける蒸気圧力を検出する蒸気圧検出部と、
前記蒸気圧検出部により検出された蒸気圧力に応じて前記ボイラの燃焼状態を制御する制御部と、を備えるボイラ装置であって、
前記制御部は、前記複数の燃焼領域を、それぞれ、燃焼量を段階的に変更する段階値制御領域、又は燃焼量を連続的に変更する連続制御領域に設定する設定部と、
前記段階値制御領域に設定された燃焼領域において、該燃焼領域に対応して予め設定された設定燃焼率で前記ボイラを燃焼させる段階値制御部と、
前記連続制御領域に設定された燃焼領域において、前記蒸気圧検出部において検出される蒸気圧力が該燃焼領域に対応して予め設定された設定目標圧力となるように前記ボイラを燃焼させる連続制御部と、を備えるボイラ装置。
【請求項２】
前記蒸気圧検出部により検出された蒸気圧力の所定の変化に応じて、前記連続制御部による制御から前記段階値制御部による制御に切り換える、請求項１に記載のボイラ装置。
【請求項３】
前記蒸気圧検出部により検出された蒸気圧力の所定の変化に応じて、前記段階値制御部による制御から前記連続制御部による制御に切り換える、請求項１又は請求項２に記載のボイラ装置。
【請求項４】
前記設定部により、全ての前記複数の燃焼領域を段階値制御領域に設定することで、前記ボイラを段階値制御ボイラとして設定する、請求項１に記載のボイラ装置。
【請求項５】
前記設定部により、全ての前記複数の燃焼領域を連続制御領域に設定することで、前記ボイラを比例制御ボイラとして設定する、請求項１に記載のボイラ装置。
【発明の詳細な説明】
【技術分野】
【０００１】
本発明は、比例制御方式による連続制御と段階値制御を統合できるボイラ装置に関する。
【背景技術】
【０００２】
従来、複数のボイラを燃焼させて蒸気を発生させるボイラシステムにおいて、蒸気の圧力が目標値になるように、燃焼させるボイラの台数及び燃焼量を算出し、対象となるボイラの燃焼量を増減するボイラの制御に関する技術が開示されている（例えば、特許文献１参照）。
【０００３】
また、ボイラには、大別して、選択される燃焼位置に応じて燃焼量を段階的に増減可能な段階値制御ボイラと、燃焼量を連続的に増減可能な比例制御ボイラとがある（例えば、特許文献２参照）。複数のボイラを備えるボイラシステムにおいては、要求される性能、コスト等に応じて、段階値制御ボイラ及び比例制御ボイラの一方又は両方が適宜用いられる。
【先行技術文献】
【特許文献】
【０００４】
【特許文献１】特開２００２−１３０６０２号公報
【特許文献２】特開２０１０−４３７６８号公報
【発明の概要】
【発明が解決しようとする課題】
【０００５】
ところで、段階値制御ボイラは、段階的に燃焼量を調節できることにより応答性の点で優れているが、例えば、３位置制御（高燃焼、低燃焼、燃焼停止）の場合のように、低燃焼と高燃焼で制御するため、圧力変動幅が大きくなり圧力安定性の点で課題がある。
逆に、比例制御ボイラは、燃焼量を連続的に増減可能であることから圧力安定性の点で優れているが、応答性の点では課題がある。
【０００６】
このため、複数に分割された燃焼領域を有するボイラにおいて、応答性を優先することが望ましい燃焼領域には段階値制御を適用し、圧力安定性を優先することが望ましい燃焼領域には連続制御を適用することで、連続制御の圧力安定性と段階値制御の応答性を適材適所で利用できるボイラが望まれる。
【０００７】
本発明は、燃焼率により複数の燃焼領域に分割できるボイラであって、各燃焼領域に対して、連続制御又は段階値制御を適用することができるボイラ装置を提供することを目的とする。
【課題を解決するための手段】
【０００８】
本発明は、複数に分割された燃焼領域を有するボイラと、前記ボイラにおける蒸気圧力を検出する蒸気圧検出部と、前記蒸気圧検出部により検出された蒸気圧力に応じて前記ボイラの燃焼状態を制御する制御部と、を備えるボイラ装置であって、前記制御部は、前記複数の燃焼領域を、それぞれ、燃焼量を段階的に変更する段階値制御領域、又は燃焼量を連続的に変更する連続制御領域に設定する設定部と、前記段階値制御領域に設定された燃焼領域において、該燃焼領域に対応して予め設定された燃焼率で前記ボイラを燃焼させる段階値制御部と、前記連続制御領域に設定された燃焼領域において、前記蒸気圧検出部において検出される蒸気圧力が該燃焼領域に対応して予め設定された目標圧力となるように前記ボイラを燃焼させる連続制御部と、を備えるボイラ装置に関する。
【０００９】
また、前記蒸気圧検出部により検出された蒸気圧力の所定の変化に応じて、前記連続制御部による制御から前記段階値制御部による制御に切り換えることができる。
【００１０】
また、前記蒸気圧検出部により検出された蒸気圧力の所定の変化に応じて、前記段階値制御部による制御から前記連続制御部による制御に切り換えることができる。
【００１１】
また、前記設定部により、全ての前記複数の燃焼領域を段階値制御領域に設定することで、前記ボイラを段階値制御ボイラとして設定することができる。
【００１２】
また、前記設定部により、全ての前記複数の燃焼領域を連続制御領域に設定することで、前記ボイラを比例制御ボイラとして設定することができる。
【発明の効果】
【００１３】
本発明によれば、複数に分割された燃焼領域を有するボイラにおいて、応答性を優先することが望ましい燃焼領域には段階値制御を適用し、圧力安定性を優先することが望ましい燃焼領域には連続制御を適用することで、連続制御の安定性と段階値制御の応答性を適材適所で利用することが可能となる。
【図面の簡単な説明】
【００１４】
【図１】本発明の実施形態に係るボイラ装置１の概略構成を示す図である。
【図２】本発明の実施形態に係る制御部４の構成を示す機能ブロック図である。
【図３Ａ】本発明の実施形態に係るボイラ装置１の複数(５個)に分割された燃焼領域を示す図である。
【図３Ｂ】本発明の実施形態に係るボイラ装置１の複数(５個)に分割された燃焼領域のうち、いくつかの燃焼領域が段階値制御領域に設定されるとともに、他の燃焼領域が連続制御領域に設定されているボイラ装置１の一実施例を示す図である。
【図３Ｃ】本発明の実施形態に係るボイラ装置１の複数(５個)に分割された燃焼領域の全ての燃焼領域が段階値制御領域に設定されているボイラ装置１の一実施例を示す図である。
【図３Ｄ】本発明の実施形態に係るボイラ装置１の複数(５個)に分割された燃焼領域の燃焼領域が燃焼停止状態Ｓ０と、最小燃焼状態Ｓ１（燃焼率２０％の燃焼状態）から最大燃焼状態Ｓ２（燃焼率２０％の燃焼状態）の範囲で、燃焼率を連続的に制御可能になるように設定されているボイラ装置１の一実施例を示す図である。
【図４】本発明の実施形態に係るボイラ装置１の複数に分割された燃焼領域のうち、いくつかの燃焼領域が段階値制御領域に設定されるとともに、他の燃焼領域が連続制御領域に設定されている場合の、蒸気圧力値と燃焼領域との関係を示す図である。
【図５】本発明の実施形態に係るボイラ装置１の複数に分割された燃焼領域の全てが段階値制御領域に設定されている場合の蒸気圧力値と燃焼領域との関係を示す図である。
【発明を実施するための形態】
【００１５】
以下、図１を参照して、本発明の一実施形態に係るボイラ装置１について説明する。図１は、本発明の実施形態に係るボイラ装置１の概略構成を示す図である。
図１に示すように、ボイラ装置１は、バーナ及び燃焼空気供給用の送風機（いずれも図示せず）を有したボイラ２を具備し、ボイラ２は、最少燃焼状態、例えば燃焼率２０％から１００％の連続燃焼を可能とし、燃焼率により複数の燃焼領域に分割することができ、各燃焼領域に対して、連続制御又は段階値制御を適用することを可能としている。
また、ボイラ装置１は、ボイラ２に対して要求される必要蒸気量を算出するために、缶体(図示せず)内の蒸気圧力を検出する蒸気圧検出部３を備える。
また、ボイラ装置１は、蒸気圧検出部３により検出された缶体内の蒸気圧力に応じてボイラ２の燃焼状態を制御する制御部４を備える。
【００１６】
図２に示すように、制御部４は、複数の燃焼領域の各燃焼領域を、それぞれ、燃焼量を段階的に変更する段階値制御領域、又は燃焼量を連続的に変更する連続制御領域に設定する設定部４１と、段階値制御領域に設定された燃焼領域において、該燃焼領域に対応して予め設定された設定燃焼率でボイラを燃焼させる段階値制御部４２と、連続制御領域に設定された燃焼領域において、蒸気圧検出部３において検出される蒸気圧力が該燃焼領域に対応して予め設定された設定目標圧力となるようにボイラを燃焼させる連続制御部４３と、を備える。
【００１７】
本実施形態のボイラ装置１は、ボイラ２で発生させた蒸気を、蒸気使用設備に供給可能とされている。
ボイラ装置１は、制御対象であるボイラ装置１内の蒸気の圧力Ｐを蒸気圧検出部３により測定し、測定された圧力に基づいて、段階値制御部４２又は連続制御部４３によりボイラ２の燃焼量等を制御するようになっている。
【００１８】
段階値制御部４２は、蒸気圧検出部３により検出された缶体内の蒸気圧力に応じて、段階値制御領域に設定された燃焼領域において予め設定された燃焼位置（燃焼率）でボイラ２を燃焼させるようになっている。
【００１９】
連続制御部４３は、連続制御領域に設定された燃焼領域において、蒸気圧検出部３により検出された缶体内の蒸気圧力が当該燃焼領域に対応して予め設定された目標圧力となるように、ボイラ２を所定の燃焼率の範囲内、例えば当該燃焼領域内で連続的に燃焼させるようになっている。
【００２０】
＜連続制御部による制御＞
ここで、連続制御部４３による制御について概略する。
連続制御部４３は、蒸気圧検出部３により検出された缶体内の蒸気圧力が当該燃焼領域に対応して予め設定された目標圧力となるように、ボイラ２を当該燃焼領域内で連続的に燃焼させるように制御する。
【００２１】
連続制御部４３は、ボイラ２が蒸気を供給する負荷機器による蒸気の消費量に応じて、ボイラ２の燃焼率を変更し、蒸気の生成量を調整する。ここで、負荷機器の需要の増大により要求負荷（蒸気消費量）が増加し、負荷機器に供給される蒸気量、すなわちボイラ２から発生する蒸気量（以下「出力蒸気量」ともいう）が不足すれば、缶体内の蒸気圧力が減少することになる。一方、負荷機器の需要の低下により要求負荷（蒸気消費量）が減少し、缶体内に供給される蒸気量が過剰になれば、缶体内の蒸気圧力が増加することになる。従って、連続制御部４３は、蒸気圧検出部３により測定された蒸気圧力の変動に基づいて、要求負荷の変動をモニターすることができる。そして、連続制御部４３は、予め設定された目標圧力と缶体内の蒸気圧力とを比較することで、蒸気量の過不足を検知することができる。
【００２２】
連続制御部４３は、負荷機器に応じて予め設定された目標圧力と缶体内の蒸気圧力との偏差に対して、ＰＩアルゴリズム又はＰＩＤアルゴリズムに基づくフィードバック制御を行うことで、缶体内の蒸気圧力が目標圧力となるために必要な蒸気量（操作量）を算出し、算出した蒸気量分の蒸気がボイラ２から出力されるようにボイラ２の燃焼状態を制御する。
【００２３】
連続制御部４３は、蒸気圧検出部３で測定された缶体内の蒸気圧力値ＰＶが、予め設定された目標蒸気圧力値ＳＶとなるように、例えば、速度型ＰＩＤアルゴリズムにより必要蒸気量を算出する。
【００２４】
連続制御部４３は、ボイラ２から発生させる今回必要蒸気量ＭＶｎを、例えば、下記の速度型演算式（１）に基づいて算出する。
ＭＶｎ  ＝  ＭＶｎ−１  ＋  ΔＭＶｎ          ・・・（１）
ここで、Δｔを制御周期、ｎを正の整数値としたとき、
ＭＶｎは制御周期ｎ（起点ｔ０＋ｎ＊Δｔ）における複数のボイラ２０から発生させる今回必要蒸気量、
ＭＶｎ−１は制御周期（ｎ−１）における前回必要蒸気量、
ΔＭＶｎは制御周期毎の必要蒸気量変化分を表す。
速度型演算は、制御周期毎の必要蒸気量変化分ΔＭＶｎのみを計算し、これに前回必要蒸気量ＭＶｎ−１を加算して、今回必要蒸気量ＭＶｎを計算する方法である。
これに対して、制御周期毎に今回必要蒸気量ＭＶｎを直接計算するＰＩＤ制御アルゴリズムは、位置型演算と言う。
【００２５】
制御周期毎の必要蒸気量変化分ΔＭＶｎは、下記の式（２）〜（６）に基づいて算出する。
ΔＭＶｎ  ＝  ΔＰｎ＋ΔＩｎ＋ΔＤｎ      ・・・（２）
ここで、ΔＰｎはＰ制御出力(変化分)を、
ΔＩｎはＩ制御出力(変化分)を、
ΔＤｎはＤ制御出力(変化分)を表す。
ΔＰｎ  ＝  ＫＰ＊（ｅｎ−ｅｎ−１）        ・・・（３）
ここで、ＫＰは、比例ゲインを、
ｅｎは、式（４）に示すように、今回の目標蒸気圧力値ＳＶｎと、蒸気圧検出部３で測定された蒸気ヘッダ６の内部の今回蒸気圧力値ＰＶｎとの差（今回偏差量）を表す。
ｅｎ  ＝  ＳＶｎ−ＰＶｎ                    ・・・（４）
ΔＩｎ  ＝ＫＰ＊(Δｔ／ＴＩ)＊ｅｎ          ・・・（５）
ＴＩは積分時間を表す。
ΔＤｎ  ＝  ＫＰ＊(ＴＤ／Δｔ)＊（ｅｎ−２ｅｎ−１＋ｅｎ−２）
・・・（６）
ここで、ＴＤは微分時間を表す。
【００２６】
連続制御部４３は、式（３）、（５）、（６）で算出された各出力(変化分)を合計することにより、制御周期毎の必要蒸気量変化分ΔＭＶｎを算出する。
連続制御部４３は、式（１）のように、前回必要蒸気量ＭＶｎ−１にΔＭＶｎを加算して、今回必要蒸気量ＭＶｎを計算する。
なお、連続制御部４３は、必要蒸気量を算出するに際して、位置型演算によるＰＩＤ制御アルゴリズムを適用してもよい。
【００２７】
連続制御部４３は、今回必要蒸気量に基づいてボイラ２から必要蒸気量分の蒸気が発生するようにボイラ２の燃焼状態（燃焼量）を制御する。
こうすることで、ボイラ２が蒸気を供給する負荷機器による蒸気の消費量が急激に変動しなければ、連続制御部４３は蒸気消費量の変動に追従して必要蒸気量に対応した出力蒸気量を出力することができる。
【００２８】
以下、ボイラ装置１について、複数に分割された燃焼領域のうち、いくつかの燃焼領域が段階値制御領域に設定されるとともに、他の燃焼領域が連続制御領域に設定されている場合（以下、「段階値／連続制御設定」ということもある）、全ての燃焼領域が段階値制御領域に設定されている場合（以下、「段階値制御設定」ということもある）、及び全ての燃焼領域が連続制御領域に設定されている場合（以下、「連続制御設定」ということもある）のそれぞれについて、説明する。
【００２９】
＜段階値／連続制御設定＞
最初に、複数に分割された燃焼領域のうち、いくつかの燃焼領域が段階値制御領域に設定されるとともに、他の燃焼領域が連続制御領域に設定されている場合（段階値／連続制御設定）について、図３Ｂ及び図４を参照して説明する。
【００３０】
図３Ｂは、図３Ａのように複数(５個)に分割された燃焼領域のうち、いくつかの燃焼領域が段階値制御領域に設定されるとともに、他の燃焼領域が連続制御領域に設定されているボイラ装置１の一実施例を示す図である。
図３Ｂに示すように、各燃焼領域は、以下のように設定されている。
なお、燃焼率０％（燃焼停止）については、便宜上、第１燃焼領域Ａ１と名付けている。
（１）第１燃焼領域Ａ１（燃焼率０％）  すなわち、燃焼停止。
（２）第２燃焼領域Ａ２（０％＜燃焼率≦２０％）は、段階値制御領域（燃焼率２０％）に設定。
（３）第３燃焼領域Ａ３（２０％＜燃焼率≦３０％）は、段階値制御領域（燃焼率３０％）に設定。
（４）第４燃焼領域Ａ４（３０％＜燃焼率≦６０％）は、連続制御領域に設定。
なお、第４燃焼領域Ａ４（３０％＜燃焼率≦６０％）における連続制御は、予め設定された目標蒸気圧ＳＶ４に基づいて、例えば燃焼率３０％から燃焼率６０％までの範囲で燃焼量を連続的に増減可能に制御されるものとする。
（５）第５燃焼領域Ａ５（６０％＜燃焼率≦  ７５％）は、段階値制御領域（燃焼率７５％）に設定。
（６）第６燃焼領域Ａ６（７５％＜燃焼率≦１００％）は、連続制御領域に設定。
なお、第６燃焼領域Ａ６（７５％＜燃焼率≦１００％）における連続制御は、予め設定された目標蒸気圧ＳＶ６に基づいて例えば燃焼率７５％から燃焼率１００％までの範囲で燃焼量を連続的に増減可能に制御されるものとする。
【００３１】
図３Ｃの実施例のように、第４燃焼領域Ａ４（３０％＜燃焼率≦６０％）を段階値制御領域に設定した場合には、燃焼率３０％と燃焼率６０％で制御するため、圧力変動幅が大きくなり圧力安定性の点で課題があるが、図３Ｂの実施例のように、第４燃焼領域Ａ４（３０％＜燃焼率≦６０％）を連続制御領域に設定することで、第３燃焼領域Ａ３（燃焼率＝  ３０％）から第４燃焼領域Ａ４（３０％＜燃焼率≦  ６０％）において、例えば燃焼率３０％から燃焼率６０％までの範囲で燃焼量を連続的に増減可能に制御できることから圧力安定性の点で優れるという効果を奏することができる。
【００３２】
制御部４は、蒸気圧検出部３により検出される検出蒸気圧力の大きさに応じて、予め定めた設定基準値に基づいて段階値制御部４２（第１燃焼領域Ａ１、第２燃焼領域Ａ２、第３燃焼領域Ａ３、第５燃焼領域Ａ５）又は連続制御部４３（第４燃焼領域Ａ４、第６燃焼領域Ａ６）によりボイラ２の燃焼量等を制御する。
そうすることで、制御部４は、蒸気圧検出部３により検出される検出蒸気圧力の大きさに応じて適材適所の燃焼領域で燃焼するように制御することができる。
【００３３】
＜設定基準値＞
設定基準値について、図４を参照しながら、説明する。
上記判定の為の設定基準値に関して、燃焼装置のハンチング（ＯＮ−ＯＦＦの繰り返し）を防止するために、蒸気圧力が上昇方向（負荷量が減少方向）の時に段階値制御領域に設定された第３燃焼領域Ａ３(燃焼率３０％)から段階値制御領域に設定された第２燃焼領域Ａ２(燃焼率２０％)へ移行する基準となる設定基準値Ｐ´４と、蒸気圧力が下降方向（負荷量が増加方向）の時に段階値制御領域に設定された第２燃焼領域Ａ２(燃焼率２０％)から段階値制御領域に設定された第３燃焼領域Ａ３(燃焼率３０％)へ移行する基準となる設定基準値Ｐ４との間には、Ｐ´４がＰ４より大きくなるように所定の差（ディファレンシャル）を設けることができる。段階値制御領域に設定された第２燃焼領域Ａ２(燃焼率２０％)から段階値制御領域に設定された第１燃焼領域Ａ１（燃焼停止）へ移行する基準となる設定基準値Ｐ´５と、蒸気圧力が下降方向（負荷量が増加方向）の時に段階値制御領域に設定された第１燃焼領域Ａ１（燃焼停止）から段階値制御領域に設定された第２燃焼領域Ａ２(燃焼率２０％)へ移行する基準となる設定基準値Ｐ５についても同様に、Ｐ´５がＰ５より大きくなるように所定の差（ディファレンシャル）を設けることができる。なお、圧力変化を確認する遅延時間を設けることで、圧力帯をよりラップさせることもできる。
【００３４】
また、上記判定の為の設定基準値に関して、圧力安定性を確保するために、蒸気圧力が上昇方向（負荷量が減少方向）の時に、段階値制御領域に設定された第５燃焼領域Ａ５(燃焼率７５％)から連続制御領域に設定された第４燃焼領域Ａ４（３０％＜燃焼率≦  ６０％）へ移行する基準となる設定基準値Ｐ´２を連続制御領域に設定された第４燃焼領域Ａ４における目標圧力値ＳＶ４となるように設定することができる。
また、蒸気圧力が上昇方向（負荷量が減少方向）の時は、連続制御領域に設定された第６燃焼領域Ａ６（７５％＜燃焼率≦１００％）から段階値制御領域に設定された第５燃焼領域Ａ５（燃焼率７５％）へ移行する基準となる設定基準値Ｐ´１に基づいて、連続制御領域に設定された第６燃焼領域Ａ６（７５％＜燃焼率≦１００％）から、段階値制御領域に設定された第５燃焼領域Ａ５（燃焼率７５％）に移行することができる。また、連続制御領域に設定された第４燃焼領域Ａ４（３０％＜燃焼率≦６０％）から段階値制御領域に設定された第３燃焼領域Ａ３(燃焼率３０％)へ移行する基準となる設定基準値Ｐ´３に基づいて、連続制御領域に設定された第４燃焼領域Ａ４（３０％＜燃焼率≦６０％）から、段階値制御領域に設定された第３燃焼領域Ａ３(燃焼率３０％)に移行することができる。
【００３５】
逆に、蒸気圧力が下降方向（負荷量が増大方向）の時には、圧力安定性を確保するために、段階値制御領域に設定された第５燃焼領域Ａ５（燃焼率７５％）から連続制御領域に設定された第６燃焼領域Ａ６（７５％＜燃焼率≦１００％）へ移行する基準となる設定基準値Ｐ１を連続制御領域に設定された第６燃焼領域Ａ６（７５％＜燃焼率≦１００％）における目標圧力値ＳＶ６となるように設定することができる。同様に、段階値制御領域に設定された第３燃焼領域Ａ３(燃焼率３０％)から連続制御領域に設定された第４燃焼領域Ａ４（３０％＜燃焼率≦６０％）へ移行する基準となる設定基準値Ｐ３を連続制御領域に設定された第４燃焼領域Ａ４（３０％＜燃焼率≦６０％）における目標圧力値ＳＶ４となるように設定することができる。
また、蒸気圧力が下降方向（負荷量が増大方向）の時に、連続制御領域に設定された第４燃焼領域Ａ４（３０％＜燃焼率≦６０％）から段階値制御領域に設定された第５燃焼領域Ａ５（燃焼率７５％）へ移行する基準となる設定基準値Ｐ２に基づいて、段階値制御領域（燃焼率７５％）に設定された第５燃焼領域Ａ５に移行することができる。
【００３６】
次に、制御部４の制御について、具体的に、蒸気圧力の下降時（負荷量増大時）と蒸気圧力の上昇時（負荷量減少時）について、図４を参照しながら、説明する。
【００３７】
＜蒸気圧力の下降（負荷量増大）時＞
最初に、蒸気圧力の下降時（負荷量増大時）における、設定基準値及び制御部４の制御について説明する。
【００３８】
蒸気圧力が下降方向（負荷量が増大方向）の時には、図４の左側に示すように、設定基準値を次のように設定する。
（１）第５燃焼領域Ａ５（燃焼率＝７５％）から第６燃焼領域Ａ６（７５％＜燃焼率≦１００％）に移行する基準となる設定基準値をＰ１、
（２）第４燃焼領域Ａ４（３０％＜燃焼率≦６０％）から第５燃焼領域Ａ５（燃焼率＝７５％）に移行する基準となる設定基準値をＰ２、
（３）第３燃焼領域Ａ３（燃焼率＝３０％）から第４燃焼領域Ａ４（３０％＜燃焼率≦６０％）に移行する基準となる設定基準値をＰ３、
（４）第２燃焼領域Ａ２（燃焼率＝２０％）から第３燃焼領域Ａ３（燃焼率＝３０％）に移行する基準となる設定基準値をＰ４、
（５）第１燃焼領域Ａ１（燃焼停止）から第２燃焼領域Ａ２（燃焼率＝２０％）に移行する基準となる設定基準値をＰ５、
とする。
【００３９】
制御部４は、蒸気圧検出部３により検出される検出蒸気圧力に応じて、図４の左側に示すように、段階値制御部４２（第１燃焼領域Ａ１、第２燃焼領域Ａ２、第３燃焼領域Ａ３、第５燃焼領域Ａ５）又は連続制御部４３（第４燃焼領域Ａ４、第６燃焼領域Ａ６）によりボイラ２の燃焼量等を制御する。
【００４０】
＜蒸気圧力が下降時＞
蒸気圧力が下降方向（負荷量が増大方向）の時において、
（１）制御部４は、蒸気圧力がＰ５以上の場合、第１燃焼領域Ａ１（燃焼停止）となるように制御する。
（２）制御部４は、蒸気圧力がＰ５を越えて降下すると、段階値制御部４２による制御（第２燃焼領域Ａ２（燃焼率＝２０％））に移行し、蒸気圧力がＰ４以上までの間、段階値制御部４２による制御（第２燃焼領域Ａ２（燃焼率＝２０％））を行う。
（３）制御部４は、蒸気圧力がＰ４を越えて降下すると段階値制御部４２による制御（第３燃焼領域Ａ３（燃焼率＝３０％）））に移行し、蒸気圧力がＰ３以上までの間、段階値制御部４２による制御（第３燃焼領域Ａ３（燃焼率＝３０％））を行う。
（４）制御部４は、蒸気圧力がＰ３を越えて降下すると連続制御部４３による制御（第４燃焼領域Ａ４（３０％＜燃焼率≦６０％））に移行し、蒸気圧力がＰ２以上までの間、連続制御部４３による制御（第４燃焼領域Ａ４（３０％＜燃焼率≦６０％））を行う。
ここで、圧力安定性を確保するために、段階値制御領域に設定された第３燃焼領域Ａ３（燃焼率＝３０％）から連続制御領域に設定された第４燃焼領域Ａ４（３０％＜燃焼率≦６０％））へ移行する基準となる設定基準値Ｐ３を連続制御領域に設定された第４燃焼領域Ａ４（３０％＜燃焼率≦６０％））における目標圧力値ＳＶ４と等しくなるように設定することが好ましい。
（５）制御部４は、蒸気圧力がＰ２を越えて降下すると段階値制御部４２による制御（第５燃焼領域Ａ５（燃焼率＝７５％））に移行し、蒸気圧力がＰ１以上までの間、段階値制御部４２による制御（第５燃焼領域Ａ５（燃焼率＝７５％））を行う。
（６）制御部４は、蒸気圧力がＰ１を越えて降下すると連続制御部４３による制御（第６燃焼領域Ａ６（７５％＜燃焼率≦１００％））に移行する。
ここで、圧力安定性を確保するために、段階値制御領域に設定された第５燃焼領域Ａ５（燃焼率＝７５％））から連続制御領域に設定された第６燃焼領域Ａ６（７５％＜燃焼率≦１００％））へ移行する基準となる設定基準値Ｐ１を連続制御領域に設定された第６燃焼領域Ａ６（７５％＜燃焼率≦１００％））における目標圧力値ＳＶ６と等しくなるように設定することが好ましい。
【００４１】
＜蒸気圧力の上昇（負荷量減少）時＞
次に、蒸気圧力の上昇時（負荷量減少時）における、設定基準値及び制御部４の制御について説明する。
【００４２】
蒸気圧力が上昇方向（負荷量が減少方向）の時には、図４の右側に示すように、設定基準値を次のように設定する。
（１）第６燃焼領域Ａ６（７５％＜燃焼率≦１００％）から第５燃焼領域Ａ５（燃焼率＝７５％）に移行する基準となる設定基準値をＰ´１、
（２）第５燃焼領域Ａ５（燃焼率＝７５％）から第４燃焼領域Ａ４（３０％＜燃焼率≦６０％）に移行する基準となる設定基準値をＰ´２、
（３）第４燃焼領域Ａ４（３０％＜燃焼率≦６０％）から第３燃焼領域Ａ３（燃焼率＝３０％）に移行する基準となる設定基準値をＰ´３、
（４）第３燃焼領域Ａ３（燃焼率＝３０％）から第２燃焼領域Ａ２（燃焼率＝２０％）に移行する基準となる設定基準値をＰ´４、
（５）第２燃焼領域Ａ２（燃焼率＝２０％）から第１燃焼領域Ａ１（燃焼停止）に移行する基準となる設定基準値をＰ´５、
とする。
ここで、前述したように、燃焼装置のハンチング（ＯＮ−ＯＦＦの繰り返し）を防止するために、
Ｐ１＜Ｐ´１  、Ｐ２＜Ｐ´２  、Ｐ３＜Ｐ´３  、Ｐ４＜Ｐ´４  、Ｐ５＜Ｐ´５
となるように設定することができる。
【００４３】
制御部４は、蒸気圧検出部３により検出される検出蒸気圧力の上昇（負荷量減少）時において、図４の右側に示すように、段階値制御部４２（第１燃焼領域Ａ１、第２燃焼領域Ａ２、第３燃焼領域Ａ３、第５燃焼領域Ａ５）又は連続制御部４３（第４燃焼領域Ａ４、第６燃焼領域Ａ６）によりボイラ２の燃焼量等を制御する。
【００４４】
蒸気圧力の上昇（負荷量減少）時において、
（１）制御部４は、蒸気圧力がＰ´１以下の場合、連続制御部４３による制御（第６燃焼領域Ａ６（７５％＜燃焼率≦１００％））を行う。
（２）制御部４は、蒸気圧力がＰ´１を越えると段階値制御部４２による制御（第５燃焼領域Ａ５（燃焼率＝７５％））に移行し、蒸気圧力がＰ´２以下までの間、段階値制御部４２による制御（第５燃焼領域Ａ５（燃焼率＝７５％））を行う。
（３）制御部４は、蒸気圧力がＰ´２を越えると連続制御部４３による制御（第４燃焼領域Ａ４（３０％＜燃焼率≦６０％））に移行し、蒸気圧力がＰ´３以下までの間、連続制御部４３による制御（第４燃焼領域Ａ４（３０％＜燃焼率≦６０％））を行う。
ここで、圧力安定性を確保するために、段階値制御領域に設定された第５燃焼領域Ａ５（燃焼率＝７５％））から連続制御領域に設定された第４燃焼領域Ａ４（３０％＜燃焼率≦  ６０％）へ移行する基準となる設定基準値Ｐ´２を連続制御領域に設定された第４燃焼領域Ａ４（３０％＜燃焼率≦  ６０％）における目標圧力値ＳＶ４と等しくなるように設定することが好ましい。
（４）制御部４は、蒸気圧力がＰ´３を越えると段階値制御部４２による制御（第３燃焼領域Ａ３（燃焼率＝３０％））に移行し、蒸気圧力がＰ´４以下までの間、段階値制御部４２による制御（第３燃焼領域Ａ３（燃焼率＝３０％））を行う。
（５）制御部４は、蒸気圧力がＰ´４を越えると段階値制御部４２による制御（第２燃焼領域Ａ２（燃焼率＝２０％））に移行し、蒸気圧力がＰ´５以下までの間、段階値制御部４２による制御（第２燃焼領域Ａ２（燃焼率＝２０％））を行う。
（６）制御部４は、蒸気圧力がＰ´５を越えると第１燃焼領域Ａ１（燃焼停止）となるように制御する。
【００４５】
以上のように、制御部４は、蒸気圧検出部３により検出される検出蒸気圧力の大きさに応じて、段階値制御部４２（第１燃焼領域Ａ１、第２燃焼領域Ａ２、第３燃焼領域Ａ３、第５燃焼領域Ａ５）又は連続制御部４３（第４燃焼領域Ａ４、第６燃焼領域Ａ６）によりボイラ２の燃焼量等を制御することができる。
【００４６】
このように、段階値／連続制御設定の場合、制御部４は、蒸気圧検出部３により検出される検出蒸気圧力の大きさに応じて適材適所の燃焼領域で燃焼するように制御することができる。
例えば、仮に、第４燃焼領域Ａ４（３０％＜燃焼率≦６０％）を段階値制御領域に設定した場合には、燃焼率３０％と燃焼率６０％で制御するため、圧力変動幅が大きくなり圧力安定性の点で課題があるが、図３Ｂのように、第４燃焼領域Ａ４（３０％＜燃焼率≦６０％）を連続制御領域に設定することで、第３燃焼領域Ａ３（燃焼率＝３０％）から第４燃焼領域Ａ４（３０％＜燃焼率≦６０％）において、燃焼率３０％から燃焼率６０％までの範囲で燃焼量を連続的に増減可能に制御でき、圧力安定性の点で優れるという効果を奏することができる。
【００４７】
以上、ボイラ装置１の燃焼領域を第１燃焼領域Ａ１〜第６燃焼領域Ａ６に分割した場合について説明したが、任意の燃焼領域に分割した場合にも、同様に設定基準値及び目標圧力値を設けることで、制御部４は、蒸気圧検出部３により検出される検出蒸気圧力の大きさに応じて、予め定めた設定基準値に基づいて、圧力帯を連続的にするように、他の燃焼領域への移行制御を行うことができる。
【００４８】
＜段階値制御設定＞
次に、複数に分割された燃焼領域の全ての燃焼領域が段階値制御領域に設定されている場合（段階値制御設定）について、図３Ｃ及び図５を参照して説明する。
【００４９】
図３Ｃは、複数(５個)に分割された燃焼領域の全ての燃焼領域が段階値制御領域に設定されているボイラ装置１の一実施例を示す図である。
図３Ｃに示すように、各燃焼領域と各燃焼領域に対応して予め設定された燃焼率は、次のように設定されている。
なお、燃焼率０％（燃焼停止）については、便宜上、第１燃焼領域Ａ１と名付けた。
（１）第１燃焼領域Ａ１（燃焼率０％）  すなわち、燃焼停止に設定。
（２）第２燃焼領域Ａ２（０％  ＜燃焼率≦  ２０％）には、燃焼率２０％に設定。
（３）第３燃焼領域Ａ３（２０％＜燃焼率≦  ３０％）には、燃焼率３０％に設定。
（４）第４燃焼領域Ａ４（３０％＜燃焼率≦  ６０％）には、燃焼率６０％に設定。
（５）第５燃焼領域Ａ５（６０％＜燃焼率≦  ７５％）には、燃焼率７５％に設定。
（６）第６燃焼領域Ａ６（７５％＜燃焼率≦１００％）には、燃焼率１００％に設定。
そして、燃焼率０％（燃焼停止）を含めると、６段階の燃焼状態（燃焼位置、燃焼率）で制御可能とする、いわゆる６位置制御が設定されている。
Ｎ位置制御とは、段階値制御ボイラの燃焼量を、燃焼停止状態を含めてＮ位置に段階的に制御可能なことを表している。
なお、実施形態では、６位置制御としているが、Ｎを任意の整数として、例えば、５位置制御、４位置制御、３位置制御等とすることができる。
【００５０】
ここで、ｎを「１≦ｎ≦６」を満たす整数として、以下、「第ｎ燃焼領域」に設定された燃焼率をそれぞれ、「第ｎ燃焼位置」といい、「第ｎ燃焼位置」での燃焼状態を「第ｎ燃焼状態」ということもある。
【００５１】
このように設定することで、段階値制御部４２は、蒸気圧検出部３により検出された蒸気圧力に応じてボイラ２の燃焼状態を燃焼停止状態である第１燃焼状態を含めて、６段階に制御する。
【００５２】
制御部４は、蒸気圧検出部３により検出される検出蒸気圧力の大きさに応じて、予め定めた設定基準値に基づいて段階値制御部４２（第１燃焼領域Ａ１〜第６燃焼領域Ａ６）によりボイラ２の燃焼量等を制御する。
【００５３】
＜設定基準値＞
設定基準値について、図５を参照しながら、説明する。
ここで、ｎを２≦ｎ≦６を満たす整数とした場合、上記判定の為の設定基準値に関して、燃焼装置のハンチング（ＯＮ−ＯＦＦの繰り返し）を防止するために、蒸気圧力が上昇方向（負荷量が減少方向）の時に段階値制御領域に設定された第ｎ燃焼領域Ａｎから段階値制御領域に設定された第（ｎ−１）燃焼領域Ａｎ−１へ移行する基準となる設定基準値Ｐ（７−ｎ）２と、蒸気圧力が下降方向（負荷量が増加方向）の時に段階値制御領域に設定された第（ｎ−１）燃焼領域Ａｎ−１から段階値制御領域に設定された第ｎ燃焼領域Ａｎへ移行する基準となる設定基準値Ｐ（７−ｎ）１との間には、前者Ｐ（７−ｎ）２が後者Ｐ（７−ｎ）１より大きくなるように所定の差（ディファレンシャル）を設けることができる。なお、圧力変化を確認する遅延時間を設けることで、圧力帯をよりラップさせることもできる。
【００５４】
次に、具体的に、蒸気圧力の下降時（負荷量増大時）と蒸気圧力の上昇時（負荷量減少時）について、図５を参照しながら、説明する。
【００５５】
＜蒸気圧力の下降（負荷量増大）時＞
まず、蒸気圧力の下降時（負荷量増大時）における、設定基準値及び制御部４の制御について説明する。
【００５６】
蒸気圧力が下降方向（負荷量が増大方向）の時には、図５の左側に示すように、設定基準値を次のように設定する。
（１）第５燃焼領域Ａ５（燃焼率＝７５％）から第６燃焼領域Ａ６（燃焼率＝１００％）に移行する基準となる設定基準値をＰ１１、
（２）第４燃焼領域Ａ４（燃焼率＝６０％）から第５燃焼領域Ａ５（燃焼率＝７５％）に移行する基準となる設定基準値をＰ２１、
（３）第３燃焼領域Ａ３（燃焼率＝３０％）から第４燃焼領域Ａ４（燃焼率＝６０％）に移行する基準となる設定基準値をＰ３１、
（４）第２燃焼領域Ａ２（燃焼率＝２０％）から第３燃焼領域Ａ３（燃焼率＝３０％）に移行する基準となる設定基準値をＰ４１、
（５）第１燃焼領域Ａ１（燃焼停止）から第２燃焼領域Ａ２（燃焼率＝２０％）に移行する基準となる設定基準値をＰ５１、
とする。
【００５７】
制御部４は、蒸気圧検出部３により検出される検出蒸気圧力に応じて、図５の左側に示すように、段階値制御部４２（第１燃焼領域Ａ１〜第６燃焼領域Ａ６）によりボイラ２の燃焼量等を制御する。
【００５８】
＜蒸気圧力が下降時＞
蒸気圧力が下降方向（負荷量が増大方向）の時において、
（１）制御部４は、蒸気圧力がＰ５１以上の場合、第１燃焼領域Ａ１（燃焼停止）となるように制御する。
（２）制御部４は、蒸気圧力がＰ５１を越えて降下すると段階値制御部４２による制御（第２燃焼領域Ａ２（燃焼率＝２０％））に移行し、蒸気圧力がＰ４１以上までの間、段階値制御部４２による制御（第２燃焼領域Ａ２（燃焼率＝３０％））を行う。
（３）制御部４は、蒸気圧力がＰ４１を越えて降下すると段階値制御部４２による制御（第３燃焼領域Ａ３（燃焼率＝３０％））に移行し、蒸気圧力がＰ３１以上までの間、段階値制御部４２による制御（第３燃焼領域Ａ３（燃焼率＝３０％））を行う。
（４）制御部４は、蒸気圧力がＰ３１を越えて降下すると段階値制御部４２による制御（第４燃焼領域Ａ４（燃焼率＝６０％））に移行し、蒸気圧力がＰ２１以上までの間、段階値制御部４２による制御（第４燃焼領域Ａ４（燃焼率＝６０％））を行う。
（５）制御部４は、蒸気圧力がＰ２１を越えて降下すると段階値制御部４２による制御（第５燃焼領域Ａ５（燃焼率＝７５％））に移行し、蒸気圧力がＰ１１以上までの間、段階値制御部４２による制御（第５燃焼領域Ａ５（燃焼率＝７５％））を行う。
（６）制御部４は、蒸気圧力がＰ１１を越えて降下すると段階値制御部４２による制御（第６燃焼領域Ａ６（燃焼率＝１００％））を行う。
【００５９】
＜蒸気圧力の上昇（負荷量減少）時＞
次に、蒸気圧力の上昇時（負荷量減少時）における、設定基準値及び制御部４の制御について説明する。
【００６０】
蒸気圧力が上昇方向（負荷量が減少方向）の時には、図５の右側に示すように、設定基準値を次のように設定する。
（１）第６燃焼領域Ａ６（燃焼率＝１００％）から第５燃焼領域Ａ５（燃焼率＝７５％）に移行する基準となる設定基準値をＰ１２、
（２）第５燃焼領域Ａ５（燃焼率＝７５％）から第４燃焼領域Ａ４（燃焼率＝６０％）に移行する基準となる設定基準値をＰ２２、
（３）第４燃焼領域Ａ４（燃焼率＝６０％）から第３燃焼領域Ａ３（燃焼率＝３０％）に移行する基準となる設定基準値をＰ３２、
（４）第３燃焼領域Ａ３（燃焼率＝３０％）から第２燃焼領域Ａ２（燃焼率＝２０％）に移行する基準となる設定基準値をＰ４２、
（５）第２燃焼領域Ａ２（燃焼率＝２０％）から第１燃焼領域Ａ１（燃焼停止）に移行する基準となる設定基準値をＰ５２、
とする。
ここで、前述したように、燃焼装置のハンチング（ＯＮ−ＯＦＦの繰り返し）を防止するために、
Ｐ１１＜Ｐ１２  、Ｐ２１＜Ｐ２２  、Ｐ３１＜Ｐ３２  、
Ｐ４１＜Ｐ４２  、  Ｐ５１＜Ｐ５２
となるように設定することができる。
【００６１】
制御部４は、蒸気圧検出部３により検出される検出蒸気圧力が上昇方向（負荷量が減少方向）の時には、図５の右側に示すように、段階値制御部４２（第１燃焼領域Ａ１〜第６燃焼領域Ａ６）によりボイラ２の燃焼量等を制御する。
【００６２】
蒸気圧力の上昇（負荷量減少）時において、
（１）制御部４は、蒸気圧力がＰ１２以下の場合、段階値制御部４２による制御（第６燃焼領域Ａ６（燃焼率＝１００％））を行う。
（２）制御部４は、蒸気圧力がＰ１２を越えると段階値制御部４２による制御（第５燃焼領域Ａ５（燃焼率＝７５％））に移行し、蒸気圧力がＰ２２以下までの間、段階値制御部４２による制御（第５燃焼領域Ａ５（燃焼率＝７５％））を行う。
（３）制御部４は、蒸気圧力がＰ２２を越えると段階値制御部４２による制御（第４燃焼領域Ａ４（燃焼率＝６０％））に移行し、蒸気圧力がＰ３２以下までの間、段階値制御部４２による制御（第４燃焼領域Ａ４（燃焼率＝６０％））を行う。
（４）制御部４は、蒸気圧力がＰ３２を越えると段階値制御部４２による制御（第３燃焼領域Ａ３（燃焼率＝３０％））に移行し、蒸気圧力がＰ４２以下までの間、段階値制御部４２による制御（第３燃焼領域Ａ３（燃焼率＝３０％）を行う。
（５）制御部４は、蒸気圧力がＰ４２を越えると段階値制御部４２による制御（第２燃焼領域Ａ２（燃焼率＝２０％））に移行し、蒸気圧力がＰ５２以下までの間、段階値制御部４２による制御（第２燃焼領域Ａ２（燃焼率＝２０％））を行う。
（６）制御部４は、蒸気圧力がＰ５２を越えると第１燃焼領域Ａ１（燃焼停止）となるように制御する。
【００６３】
以上のように、制御部４は、蒸気圧検出部３により検出される検出蒸気圧力の大きさに応じて、段階値制御部４２（第１燃焼領域Ａ１〜第６燃焼領域Ａ６）によりボイラ２の燃焼量等を制御することができる。
【００６４】
以上、ボイラ装置１の燃焼領域を第１燃焼領域Ａ１〜第６燃焼領域Ａ６に分割した場合について説明したが、任意の燃焼領域に分割した場合にも、同様に設定基準値を設けることで、制御部４は、蒸気圧検出部３により検出される検出蒸気圧力の大きさに応じて、予め定めた設定基準値に基づいて、段階値制御部４２による制御を行うことができる。
【００６５】
（連続制御設定）
最後に、複数に分割された燃焼領域の全ての燃焼領域が燃焼量を連続的に変更する連続制御領域に設定されている場合（連続制御設定）について、説明する。
図３Ｄは、複数(５個)に分割された燃焼領域の全ての燃焼領域が連続制御領域に設定されているボイラ装置１の一実施例を示す図である。
したがって、図３Ｄに示すように、燃焼停止状態Ｓ０と、最小燃焼状態Ｓ１（燃焼率２０％の燃焼状態）から最大燃焼状態Ｓ２（燃焼率１００％の燃焼状態）の範囲で、燃焼率を連続的に制御可能になるように設定されている。
【００６６】
この場合、連続制御部４３は、蒸気圧検出部３により検出された缶体内の蒸気圧力が当該燃焼領域に対応して予め設定された目標圧力となるように、ボイラ２を最小燃焼状態Ｓ１（燃焼率２０％の燃焼状態）から最大燃焼状態Ｓ２（燃焼率２０％の燃焼状態）の範囲内で連続的に燃焼させるようになっている。
【００６７】
なお、複数に分割された燃焼領域の全ての燃焼領域が燃焼量を連続的に変更する連続制御領域に設定されている場合は、通常の比例制御ボイラの制御と同じであり、説明は省略する。
【００６８】
本実施形態のボイラ装置１によれば、例えば、次の効果が奏される。
本実施形態のボイラ装置１は、複数に分割された燃焼領域を有するボイラ１と、ボイラ１における蒸気圧力を検出する蒸気圧検出部３と、蒸気圧検出部３により検出された蒸気圧力に応じてボイラ１の燃焼状態を制御する制御部４と、を備え、制御部４は、複数の燃焼領域を、それぞれ、燃焼量を段階的に変更する段階値制御領域、又は燃焼量を連続的に変更する連続制御領域に設定する設定部４１と、段階値制御領域に設定された燃焼領域において、該燃焼領域に対応して予め設定された設定燃焼率でボイラ２を燃焼させる段階値制御部４２と、連続制御領域に設定された燃焼領域において、蒸気圧検出部３において検出される蒸気圧力が該燃焼領域に対応して予め設定された設定目標圧力となるようにボイラ２を燃焼させる連続制御部４３と、を備える。
【００６９】
そのため、本実施形態によれば、例えば、応答性を優先することが望ましい燃焼領域には段階値制御を適用し、圧力安定性を優先することが望ましい他の所定の燃焼領域には連続制御を適用することで、1つのボイラ装置を連続制御の安定性と段階値制御の応答性を適材適所で利用することが可能となる。
【００７０】
また、本実施形態によれば、比例制御ボイラ又は段階値制御ボイラに切替可能なボイラとしても提供することができる。そうすることで、複数の段階値制御ボイラから成る台数制御システム又は複数の比例制御ボイラから成る台数制御システムへのボイラ増設に際して、同じボイラを比例制御ボイラ又は段階値制御ボイラに適宜切替を行うことで、段階値制御ボイラ又は比例制御ボイラから成る台数制御システムのいずれにも増設することができ、機種統合が容易となる。
【００７１】
以上、好適な実施形態について説明したが、本発明は、前述した実施形態に限定されることなく、種々の形態で実施することができる。
例えば、本実施形態において、予め定めた設定基準値を記憶した基準テーブルを記憶部４４に備えるようにしてもよい。
【００７２】
例えば、本実施形態において、ボイラ２の最少燃焼状態を燃焼率２０％として、ボイラ２は、燃焼率２０％から１００％の連続燃焼を可能として説明したが、これに限定されない。最少燃焼状態の燃焼率を例えば、１０％とか０％のように任意に設定してもよい。
【００７３】
例えば、本実施形態（段階値／連続制御設定）において、連続制御部４３は、第４燃焼領域Ａ４（３０％＜燃焼率≦６０％）において燃焼率３０％から６０％までの範囲で、また第６燃焼領域Ａ６（７５％＜燃焼率≦１００％）において燃焼率７５％から１００％の範囲で、それぞれ燃焼量を連続的に増減可能に制御するようにしたが、これに限定されない。例えば、連続制御部４３は、第４燃焼領域Ａ４（３０％＜燃焼率≦６０％）において、燃焼率を２５％から６５％までの範囲のように、第３燃焼領域Ａ３及び第５燃焼領域Ａ５における燃焼率と一部重複してもよい。
同様に、例えば、第６燃焼領域Ａ４（７５％＜燃焼率≦１００％）において、燃焼率を７０％から１００％までの範囲のように、第５燃焼領域Ａ５における燃焼率と一部重複してもよい。
【００７４】
例えば、本実施形態においては、５つの燃焼領域に分割したが、５分割に制限されない。適宜、分割数を設定することができる。
また、分割領域の境界値としての燃焼率について、２０％、３０％、６０％、７５％を例示したが、このような燃焼率に制限されない。例えば、２０％、６０％としてもよい。
【符号の説明】
【００７５】
１  ボイラ装置
２  ボイラ
３  蒸気圧検出部
４  制御部
４１  設定部
４２  段階値制御部
４３  連続制御部
４４  記憶部
Ａ１  第１燃焼領域
Ａ２  第２燃焼領域
Ａ３  第３燃焼領域
Ａ４  第４燃焼領域
Ａ５  第５燃焼領域
Ａ６  第６燃焼領域
【図１】
2015161427.tif 000003
【図２】
2015161427.tif 000004
【図３Ａ】
2015161427.tif 000005
【図３Ｂ】
2015161427.tif 000006
【図３Ｃ】
2015161427.tif 000007
【図３Ｄ】
2015161427.tif 000008
【図４】
2015161427.tif 000009
【図５】
2015161427.tif 000010